(57)【特許請求の範囲】
【請求項１】
単体装置でなるＯＴＤＲ（２０）であって、
画面と、
複数の被測定物のそれぞれが接続されるべき位置の定めなく接続可能な複数の光コネクタ（１２ａ〜１２ｅ）と、
前記各光コネクタと１対１に対応し、前記各光コネクタを介して前記各被測定物に光パルスを出射し、当該各光コネクタを介して当該各被測定物から前記光パルスの戻り光を受けて、当該各被測定物の光特性を測定する複数のＯＴＤＲ（Ｏｐｔｉｃａｌ  Ｔｉｍｅ  Ｄｏｍａｉｎ  Ｒｅｆｌｅｃｔｏｍｅｔｅｒ）測定部（１１ａ〜１１ｅ）と、
前記各光コネクタと当該各光コネクタに接続された前記各被測定物とを関連付ける関連付け情報を取得する情報入力部（１４）と、
前記各ＯＴＤＲ測定部が測定したデータを処理して当該各ＯＴＤＲ測定部毎の測定結果を得るとともに、前記関連付け情報に基づいて、前記各測定結果と前記各被測定物とを関連付けるデータ処理部（１３）と、
前記各被測定物と関連付けられた前記各測定結果を前記画面に一覧確認可能に表示する結果表示部（１５）と
を備えたＯＴＤＲ（２０）。
【請求項２】
単体装置でなるＯＴＤＲ（２０）の測定方法であって、
複数の被測定物をそれぞれ複数の光コネクタに接続すべき位置の定めなく接続するステップ（Ｓ１０１）と、
前記各光コネクタと、当該各光コネクタに接続された前記各被測定物とを関連付ける関連付け情報を取得するステップ（Ｓ１０２）と、
前記各光コネクタを介して前記各被測定物に光パルスを出射し、当該各光コネクタを介して当該各被測定物から前記光パルスの戻り光を受けて、当該各被測定物の光特性を測定するステップ（Ｓ１０３）と、
前記測定されたデータを処理して前記各光コネクタ毎の測定結果を得るとともに、前記関連付け情報に基づいて、前記各測定結果と前記各被測定物とを関連付けるステップ（Ｓ１０４）と、
前記各被測定物と関連付けられた前記各測定結果を画面に一覧確認可能に表示するステップ（Ｓ１０５）と
を備えたＯＴＤＲの測定方法。
【発明の詳細な説明】
【技術分野】
【０００１】
本発明は、オプチカルタイムドメインリフレクトメータ（ＯＴＤＲ）に係り、特に、複数の被測定物を同時に測定することができるＯＴＤＲに関する。
【背景技術】
【０００２】
光ファイバの敷設、保守に用いられる測定装置として、ＯＴＤＲ（Ｏｐｔｉｃａｌ  Ｔｉｍｅ  Ｄｏｍａｉｎ  Ｒｅｆｌｅｃｔｏｍｅｔｅｒ）が知られている（例えば、特許文献１参照。）。特許文献１のＯＴＤＲは、被測定光ファイバに接続可能な接続部と、光パルスを発生するレーザモジュールと、被測定光ファイバに入射された光パルスの戻り光を受光する受光器とを備え、ＯＴＤＲ測定を行う。
【０００３】
一方、ＰＯＮに用いられる光スプリッタ（例えば、特許文献２参照。）や、マルチコアファイバ（例えば、特許文献３参照。）など、複数の光デバイスや光ファイバ等（以下、被測定物）の光特性を集中的に測定したい場合がある。この場合、１つのＯＴＤＲに複数の被測定物を順番に接続し、１つ１つを測定していくか、あるいは、複数のＯＴＤＲを用意して、並列的に測定していた。
【先行技術文献】
【特許文献】
【０００４】
【特許文献１】特開平６−１６７４１７号公報
【特許文献２】特開平８−２７８４２４号公報
【特許文献３】特開平９−５５４３号公報
【発明の概要】
【発明が解決しようとする課題】
【０００５】
しかし、前者の方法では、被測定物の接続を切り替えることが煩雑であり、かつ、測定時間も長くなる。後者の方法では、前者のような問題は生じないが、どの測定装置がどの被測定物を測定したのかの関連付けが不明確となりやすい。また、いずれの方法においても、複数の測定結果を統一的に表示したり出力したりすることはできなかった。
【課題を解決するための手段】
【０００６】
本願発明のＯＴＤＲ（２０）は、単体装置でなるＯＴＤＲ（２０）であって、画面と、複数の被測定物のそれぞれが接続されるべき位置の定めなく接続可能な複数の光コネクタ（１２ａ〜１２ｅ）と、前記各光コネクタと１対１に対応し、前記各光コネクタを介して前記各被測定物に光パルスを出射し、当該各光コネクタを介して当該各被測定物から前記光パルスの戻り光を受けて、当該各被測定物の光特性を測定する複数のＯＴＤＲ測定部（１１ａ〜１１ｅ）と、前記各光コネクタと当該各光コネクタに接続された前記各被測定物とを関連付ける関連付け情報を取得する情報入力部（１４）と、前記各ＯＴＤＲ測定部が測定したデータを処理して当該各ＯＴＤＲ測定部毎の測定結果を得るとともに、前記関連付け情報に基づいて、前記各測定結果と前記各被測定物とを関連付けるデータ処理部（１３）と、前記各被測定物と関連付けられた前記各測定結果を前記画面に一覧確認可能に表示する結果表示部（１５）とを備える。
【０００７】
複数のＯＴＤＲ測定部１１ａ〜１１ｅが測定した測定結果が結果表示部１５によって統一的に表示されるので、ユーザは複数の被測定物を同時に測定し、その測定結果を統一的に把握することができる。
本願発明のＯＴＤＲの測定方法は、単体装置でなるＯＴＤＲ（２０）の測定方法であって、複数の被測定物をそれぞれ複数の光コネクタに接続すべき位置の定めなく接続するステップ（Ｓ１０１）と、前記各光コネクタと、当該各光コネクタに接続された前記各被測定物とを関連付ける関連付け情報を取得するステップ（Ｓ１０２）と、前記各光コネクタを介して前記各被測定物に光パルスを出射し、当該各光コネクタを介して当該各被測定物から前記光パルスの戻り光を受けて、当該各被測定物の光特性を測定するステップ（Ｓ１０３）と、前記測定されたデータを処理して前記各光コネクタ毎の測定結果を得るとともに、前記関連付け情報に基づいて、前記各測定結果と前記各被測定物とを関連付けるステップ（Ｓ１０４）と、前記各被測定物と関連付けられた前記各測定結果を画面に一覧確認可能に表示するステップ（Ｓ１０５）とを有する。
【０００８】
複数の被測定物と関連付けられた各測定結果が表示されるので、ユーザは複数の被測定物を同時に測定し、その測定結果を統一的に把握することができる。
【発明の効果】
【０００９】
本発明によれば、複数の被測定物を同時に測定し、その測定結果を統一的に表示することができる。
【図面の簡単な説明】
【００１０】
【図１】実施形態に係るＯＴＤＲの一例を示す。
【図２】実施形態に係るＯＴＤＲの画面表示の一例を示す。
【図３】実施形態に係るＯＴＤＲの画面表示の他の一例を示す。
【図４】実施形態に係るＯＴＤＲの測定方法の一例を示す。
【発明を実施するための形態】
【００１１】
（実施形態）
図１に、本発明に係るＯＴＤＲの一例を示す。本発明に係るＯＴＤＲ２０は、複数のＯＴＤＲ測定部１１ａ〜１１ｅと、複数の光コネクタ１２ａ〜１２ｅと、データ処理部１３と、情報入力部１４と、結果表示部１５とを備えている。データ処理部１３は、関連付けテーブル１６を備えている。なお、図１のＯＴＤＲ２０は、ＯＴＤＲ測定部と光コネクタをそれぞれ５個ずつ備えているが、５個に限定されるものではなく、用途に応じて複数個を備えていればよい。
【００１２】
ＯＴＤＲ測定部１１ａ〜１１ｅは、その内部に図示しない光パルス光源と受光器とを備え、光コネクタ１２ａ〜１２ｅを介して被測定物２１に光パルスを出射し、また、光コネクタ１２ａ〜１２ｅを介して被測定物から光パルスの戻り光を受けて、被測定物の光特性を測定する。ＯＴＤＲ測定部１１ａ〜１１ｅによって測定される被測定物の光特性には、戻り光の時間波形や反射減衰量などがある。
【００１３】
光コネクタ１２ａ〜１２ｅは、ＯＴＤＲ測定部１１ａ〜１１ｅからの光パルスを受けて被測定物２１に出射するとともに、被測定物２１からの光パルスの戻り光を受けてＯＴＤＲ測定部１１ａ〜１１ｅに出射する。
【００１４】
データ処理部１３は、各ＯＴＤＲ測定部１１ａ〜１１ｅが測定したデータを処理して測定結果を得る。例えば、戻り光の時間波形を繰り返し測定した測定データを平均化処理することによって、ノイズを低減する。あるいはまた、この平均化処理した戻り光の時間波形が急激に変化する部分を解析することによって、損失や反射減衰量を算出する。
【００１５】
情報入力部１４は、各光コネクタと、これにそれぞれ接続された各被測定物とを関連付ける関連付け情報を取得する。本実施形態では、各光コネクタは１２ａ〜１２ｅまでの識別記号で識別され、各被測定物は１〜５までの識別番号で識別されている。従って関連付け情報とは、本実施形態では、各光コネクタの識別記号と各被測定物の識別番号の対応付け情報である。
【００１６】
図２に、本発明に係るＯＴＤＲの画面表示の一例を示す。本実施形態では、情報入力部１４は、各光コネクタ１２ａ〜１２ｅに対応する位置に表示された、各被測定物の識別番号１７ａ〜１７ｅと、この識別番号を変更する変更ボタン１８ａ〜１８ｅから成っている。変更ボタン１８ａ〜１８ｅを押すたびに、この変更ボタンに対応する識別番号１７ａ〜１７ｅが変更されるようになっている。
【００１７】
本実施形態においてはこのように情報入力部１４が構成されているので、ＯＴＤＲのユーザは、各被測定物を任意の光コネクタ１２ａ〜１２ｅに接続した後に、情報入力部１４を操作して、関連付け情報を入力することができる。
【００１８】
なお、本発明における情報入力部１４は、図２のような画面表示による構成に限られず、例えば、関連付け情報をユーザがキーボード等から入力するように構成しても良い。あるいはまた、関連付け情報を格納したデータを外部から読み込むように構成しても良い。
【００１９】
図１に戻り、データ処理部１３は、情報入力部１４から関連付け情報を受け取って、関連付けテーブル１６に格納する。また、データ処理部１３は、関連付けテーブル１６に格納された関連付け情報に基づいて、各ＯＴＤＲ処理部１１ａ〜１１ｅが測定したデータを処理した各測定結果を、各被測定物と関連付ける。これによって、どのＯＴＤＲ測定部がどの被測定物を測定したのかが明確になる。
【００２０】
結果表示部１５は、データ処理部１３から、各被測定物と関連付けられた各測定結果を受け取って、ＯＴＤＲ上の画面に表示する。なお、各測定結果を画面に表示する代わりに、電子ファイルの形式で外部の装置に出力しても良い。
【００２１】
図２に示すように、本実施形態では、結果表示部１５は、測定結果をＯＴＤＲ上の画面に表示している。図２の例では、測定結果として各被測定物の損失を表示した状態である。このとき、各測定結果は、光コネクタ１２ａ〜１２ｅの下方の対応する位置に、各光コネクタ１２ａ〜１２ｅに接続された被測定物の順番に並べられている。従ってユーザは、各測定結果がどのコネクタに接続された被測定物のものであるかを、直観的に把握できる。
【００２２】
本発明に係るＯＴＤＲはまた、各測定結果を各被測定物の識別番号順に並べ替える機能を備えている。図３は、このように各測定結果を各被測定物の識別番号の順番に表示した状態である。この場合ユーザは、表示されている測定結果を他の測定結果、例えば、光ファイバの他端の測定結果や、同じ被測定物の過去の測定結果などと比較することが容易になる。
【００２３】
なお、図２や図３は測定結果を数字で表示する場合の例であるが、例えば戻り光の時間波形をグラフ表示する場合には、各被測定物が識別可能となるように、時間波形の色を各被測定物ごとに変えつつ、重ねて表示するようにしても良い。
【００２４】
次に、図４を用いて、本実施形態に係るＯＴＤＲ測定方法について説明する。
【００２５】
まず、ユーザが、各被測定物を各光コネクタ１２ａ〜１２ｅに接続する（Ｓ１０１）。この段階では、ユーザは、どの光コネクタにどの被測定物を接続するかは自由である。
【００２６】
その後、ユーザは情報入力部１４から、各光コネクタ１２ａ〜１２ｅと、それに接続された各被測定物とを関連付ける関連付け情報を入力する（Ｓ１０２）。情報入力部１４は、関連付け情報をユーザから取得すると、この関連付け情報をデータ処理部１３に送る。
【００２７】
各ＯＴＤＲ測定部１１ａ〜１１ｅは、各光コネクタ１２ａ〜１２ｅを介して各被測定物に光パルスを出射し、各光コネクタ１２ａ〜１２ｅを介して各被測定物から光パルスの戻り光を受けて、各被測定物の光特性を測定する（Ｓ１０３）。各ＯＴＤＲ測定部１１ａ〜１１ｅが測定した測定データは、データ処理部１３に送られる。
【００２８】
データ処理部１３は、測定されたデータを処理して前記各光コネクタ毎の測定結果を得る。その後データ処理部１３は、情報入力部１４から受けた関連付け情報に基づいて、各測定結果と各被測定物とを関連付ける（Ｓ１０４）。各被測定物と関連付けられた各測定結果は、結果表示部に送られる。
【００２９】
結果表示部１５は、各被測定物と関連付けられた各測定結果をデータ処理部１３から受け取って、外部に表示する（Ｓ１０５）。図２に示す実施形態では、結果表示部１５は、各測定結果をＯＴＤＲ上の画面に表示している。このとき結果表示部１５は、図３のように被測定物の識別番号の順番に測定結果を並び替えても良い。
【００３０】
以上のように本発明に係るＯＴＤＲを構成することにより、又は本発明に係るＯＴＤＲ測定方法を使用することにより、ユーザは、複数の被測定物の測定結果を統一的に把握することができる。またユーザは、各被測定物をどの光コネクタに接続するかを気にすることなく、任意の光コネクタ１２ａ〜１２ｅに接続することができる。
【産業上の利用可能性】
【００３１】
本発明は、情報通信産業に適用することができる。
【符号の説明】
【００３２】
１１ａ〜１１ｅ：ＯＴＤＲ測定部
１２ａ〜１２ｅ：光コネクタ
１３：データ処理部
１４：情報入力部
１５：結果表示部
１６：関連付けテーブル
１７ａ〜１７ｅ：被測定物の識別番号
１８ａ〜１８ｅ：変更ボタン
２０：ＯＴＤＲ
２１：被測定物
【図１】
0005730802.tif 000002
【図２】
0005730802.tif 000003
【図３】
0005730802.tif 000004
【図４】
0005730802.tif 000005